(57)【要約】【課題】部品の共用化を図りながらもデザイン変更に容易に対応し得るハンドル装置及びこれを備えた戸装置を提供する。【解決手段】戸体２の戸先側端部に取り付けられるハンドル装置５であって、前記戸体に保持される保持部１１から前記戸体の表面に略平行状に延びるように受部１３が設けられたベース部材１０と、このベース部材に設けられたねじ挿通孔１４に連通される雌ねじ穴２２ａが戸厚方向芯側に設けられ、該ベース部材の受部の戸厚方向外側に向く表面を覆うように該ベース部材に対して着脱自在に取り付けられるカバー部材２０と、を備えており、前記ベース部材の受部の延出方向の基部側には、前記カバー部材の一端部２３が突き合わせられるように当接される立上壁部１６が戸厚方向外側に突出するように設けられている。【選択図】図１
2018119322.tif 000002
【特許請求の範囲】
【請求項１】
戸体の戸先側端部に取り付けられるハンドル装置であって、
前記戸体に保持される保持部から前記戸体の表面に略平行状に延びるように受部が設けられたベース部材と、このベース部材に設けられたねじ挿通孔に連通される雌ねじ穴が戸厚方向芯側に設けられ、該ベース部材の受部の戸厚方向外側に向く表面を覆うように該ベース部材に対して着脱自在に取り付けられるカバー部材と、を備えており、
前記ベース部材の受部の延出方向の基部側には、前記カバー部材の一端部が突き合わせられるように当接される立上壁部が戸厚方向外側に突出するように設けられていることを特徴とするハンドル装置。
【請求項２】
請求項１において、
前記ベース部材の前記立上壁部から前記ねじ挿通孔の孔中心までの前記延出方向に沿う寸法は、前記カバー部材の前記一端部から前記雌ねじ穴の穴中心までの前記延出方向に沿う寸法よりも小とされていることを特徴とするハンドル装置。
【請求項３】
請求項１または２において、
前記ベース部材の前記受部の戸厚方向外側及び前記カバー部材の戸厚方向芯側のうちの一方には、戸厚方向に突出する突部が設けられ、他方には、該突部が嵌め入れられる凹部が設けられていることを特徴とするハンドル装置。
【請求項４】
請求項３において、
前記突部は、前記カバー部材の前記雌ねじ穴の外周壁部を構成するように前記カバー部材に設けられ、前記凹部は、前記ベース部材の前記受部の前記ねじ挿通孔の内周壁を構成するように前記受部に設けられていることを特徴とするハンドル装置。
【請求項５】
請求項１乃至４のいずれか１項において、
前記カバー部材の戸厚方向芯側には、戸厚方向芯側に向けて開口し、前記ベース部材の受部を受け入れる受入凹所が設けられていることを特徴とするハンドル装置。
【請求項６】
請求項１乃至５のいずれか１項に記載のハンドル装置と、このハンドル装置が戸先側端部に取り付けられた戸体と、を備えていることを特徴とする戸装置。
【発明の詳細な説明】
【技術分野】
【０００１】
本発明は、ハンドル装置及びこれを備えた戸装置に関する。
【背景技術】
【０００２】
従来より、戸体を開閉する際の手掛部や操作部として戸体の戸先側端部に取り付けられるハンドル装置が知られている。
例えば、下記特許文献１には、ドア体に固定されるハンドルベースに連結されるハンドル本体を備えたハンドル装置が開示されている。このハンドル装置のハンドル本体は、操作時の手掛け部となる矩形板状のプレート部の一側縁から後方に連結突部を突出させた金属製ハンドル主体部を備えた構成とされている。
【先行技術文献】
【特許文献】
【０００３】
【特許文献１】特開２００８−１５０８０２号公報
【発明の概要】
【発明が解決しようとする課題】
【０００４】
ところで、上記のようなハンドルの主体部の色柄や質感、形状等のデザインの異なるものを採用したい場合には、ハンドル主体部自体を異なるものとする必要があり、更なる改善が望まれる。
【０００５】
本発明は、上記実情に鑑みてなされたものであり、部品の共用化を図りながらもデザイン変更に容易に対応し得るハンドル装置及びこれを備えた戸装置を提供することを目的としている。
【課題を解決するための手段】
【０００６】
上記目的を達成するために、本発明に係るハンドル装置は、戸体の戸先側端部に取り付けられるハンドル装置であって、前記戸体に保持される保持部から前記戸体の表面に略平行状に延びるように受部が設けられたベース部材と、このベース部材に設けられたねじ挿通孔に連通される雌ねじ穴が戸厚方向芯側に設けられ、該ベース部材の受部の戸厚方向外側に向く表面を覆うように該ベース部材に対して着脱自在に取り付けられるカバー部材と、を備えており、前記ベース部材の受部の延出方向の基部側には、前記カバー部材の一端部が突き合わせられるように当接される立上壁部が戸厚方向外側に突出するように設けられていることを特徴とする。
【０００７】
また、上記目的を達成するために、本発明に係る戸装置は、本発明に係るハンドル装置と、このハンドル装置が戸先側端部に取り付けられた戸体と、を備えていることを特徴とする。
【発明の効果】
【０００８】
本発明に係るハンドル装置及びこれを備えた戸装置は、上述のような構成としたことで、部品の共用化を図りながらもデザイン変更に容易に対応することができる。
【図面の簡単な説明】
【０００９】
【図１】（ａ）、（ｂ）は、本発明の一実施形態に係るハンドル装置の一例及びこれを備えた戸装置の一例を模式的に示し、（ａ）は、一部破断概略平面図、（ｂ）は、一部破断概略正面図である。
【図２】同ハンドル装置の概略分解斜視図である。
【図３】（ａ）、（ｂ）は、同ハンドル装置の一部省略概略分解斜視図である。
【図４】（ａ）は、図１（ｂ）におけるＸ−Ｘ線矢視に対応させた一部破断概略分解横断面図、（ｂ）は、（ａ）に対応させた一部破断概略横断面図、（ｃ）は、図１（ｂ）におけるＹ−Ｙ線矢視に対応させた一部破断概略縦断面図である。
【図５】（ａ）〜（ｃ）は、同ハンドル装置の一変形例を模式的に示し、（ａ）は、図３（ａ）に対応させた一部省略概略分解斜視図、（ｂ）、（ｃ）は、図４（ａ）、（ｂ）にそれぞれ対応させた一部破断概略横断面図である。
【発明を実施するための形態】
【００１０】
以下に本発明の実施の形態について、図面に基づいて説明する。
なお、以下の実施形態では、本実施形態に係るハンドル装置が組み付けられた戸装置を設置した状態を基準として上下方向や戸幅方向等の方向を説明する。
図１〜図５は、本実施形態に係るハンドル装置の一例及び変形例並びにこれを備えた戸装置の一例を模式的に示す図である。
【００１１】
本実施形態に係るハンドル装置５は、図１（ａ）、（ｂ）に示すように、戸体２の戸先側端部に取り付けられる。このハンドル装置５は、戸体２に保持される保持部１１及びこの保持部１１から戸体２の表面に略平行状に延びるように設けられた受部１３を有したベース部材１０を備えている。また、ハンドル装置５は、図４（ａ）、（ｂ）に示すように、このベース部材１０に設けられたねじ挿通孔１４に連通される雌ねじ穴２２ａが戸厚方向芯側に設けられたカバー部材２０を備えている。カバー部材２０は、ベース部材１０の受部１３の戸厚方向外側に向く表面を覆うようにベース部材１０に対して着脱自在に取り付けられる構成とされている。
【００１２】
本実施形態に係る戸装置１は、このハンドル装置５と、これが戸先側端部に取り付けられた戸体２と、を備えている。
本実施形態では、戸体２は、住居等の建物に設けられ出入口等となる開口部の吊元側に回転自在に支持されて開き戸を構成する。この戸体２は、一方向（上下方向）に長尺な略矩形平板状とされている。この戸体２の戸先側端部には、ハンドル装置５に連結されるラッチ錠装置３が埋込状に設けられている。このようなラッチ錠装置３としては、戸幅方向に出没自在とされたラッチ部４を有したものでもよい。また、ラッチ錠装置３としては、公知のものの採用が可能であり、ラッチ部４の没入を阻止するロック機構を有したものやデッドボルトを出没させるサムターンを備えたものでもよい。また、戸体２の吊元側端部には、開口部の吊元側縦枠等に固定される蝶番等の回転連結部材が固定される。なお、戸装置１は、回転連結部材や戸体２が建て付けられる戸枠等を更に備えていてもよい。
【００１３】
ハンドル装置５は、戸体２の戸先側端部の戸厚方向両側において手掛可能なように設けられている。つまり、ハンドル装置５は、戸厚方向両側のそれぞれに設けられるベース部材１０，１０及びカバー部材２０，２０を備えている。また、ハンドル装置５は、戸体２の戸厚方向両側面のそれぞれに沿うように固定される受座（化粧座）６，６を備えている。なお、これら戸厚方向両側の受座６，６、ベース部材１０，１０及びカバー部材２０，２０は、互いに概ね同様の構成であるので、以下では、同様の構成については、戸厚方向一方側のものを例にとって説明する。
【００１４】
受座６は、図１（ａ）及び図２に示すように、戸厚方向に貫通するように設けられた開口に、ベース部材１０が固定される固定部７を貫通させるように配した構成とされている。この固定部７は、受座６に対して上下方向に沿う軸回りに回転（揺動）可能に保持されている。また、固定部７には、ラッチ錠装置３のラッチ部４を作動させる作動部を作動させるレバー部８が連結されている。手掛部となるベース部材１０及びカバー部材２０が固定部７の軸回りに操作されれば、固定部７の回転を伴ってレバー部８の先端部（戸厚方向芯（中心）側端部）が概ね戸幅方向に変位して作動部が作動される。この作動部の変位を伴ってラッチ部４の没入がなされ、戸体２の開放が可能となる。
【００１５】
本実施形態では、ハンドル装置５を、カバー部材２０（及びベース部材１０）の吊元側部位が戸厚方向に押し操作または引き操作されれば、ラッチ錠装置３のラッチ部４の没入がなされるいわゆるプッシュプルハンドルとしている。つまり、カバー部材２０（及びベース部材１０）の吊元側部位を戸厚方向に変位させれば、固定部７が軸回りに回転する構成とされている。なお、このような態様に代えて、ハンドル装置５を、カバー部材２０（及びベース部材１０）が戸厚方向に沿う軸回りに回転操作されれば、ラッチ錠装置３のラッチ部４の没入がなされる回転ハンドルとしてもよい。この場合は、受座６等を適宜、変形するようにすればよい。
【００１６】
また、図例では、戸厚方向外側から戸厚方向芯側に見た状態（正面視した状態）で、受座６がベース部材１０及びカバー部材２０によって隠される構成とした例を示しているが、このような態様に限られない。例えば、受座６は、戸厚方向に見て上下方向に長尺状とされたものでもよく、また、上記正面視した状態で、ベース部材１０及びカバー部材２０の上下両側等において露出する部位を有したもの等でもよい。また、ラッチ錠装置３にロック機構が設けられている場合には、受座６に、ロック機構の種類に応じて設けられる種々の表示部や操作部、鍵孔等を設けた構成としてもよい。
【００１７】
また、図２に示すように、一方の受座６には、他方の受座６に設けられた雌ねじ穴６ｃに捩じ込まれるねじ９が挿通される挿通孔６ａが戸厚方向に貫通するように設けられている。図例では、一方の受座６に、戸幅方向に間隔を空けて複数（図例では、２つ）の挿通孔６ａ，６ａを設けた例を示している。また、他方の受座６に、戸厚方向に突出し、戸厚方向に開口する雌ねじ穴６ｃ，６ｃがそれぞれに設けられた複数（図例では、２つ）の突起６ｂ，６ｂを設けた例を示している。これら両側の突起６ｂ，６ｂは、戸体２を戸厚方向に概ね貫通するように配される。これら一方の受座６と他方の受座６とは、一方の受座６に設けられた挿通孔６ａを介して他方の受座６の雌ねじ穴６ｃに捩じ込まれたねじ９によって互いに連結され、戸体２の戸厚方向両側面に沿うように固定される。
【００１８】
ベース部材１０の保持部１１は、戸体２の戸厚方向一方面となる表面から戸厚方向外側に突出するように設けられ、受座６の固定部７に対して固定される。つまり、保持部１１は、受座６に対して上下方向に沿う軸回りに回転可能とされた固定部７を介して戸体２に保持される構成とされている。この保持部１１は、戸厚方向芯側部位が受座６の開口に受け入れられて固定部７に固定される。
また、この保持部１１は、図４（ａ）に示すように、戸厚方向芯側に向けて開口し、固定部７が嵌め込まれる凹所１２を設けた構成とされている。この凹所１２を区画する壁部には、固定部７に設けられた雌ねじ穴７ａ（図２参照）に連通される挿通孔１１ａが設けられている。図例では、挿通孔１１ａを、凹所１２の吊元側部位を区画する壁部を戸幅方向に貫通させるように設けた例を示している。この挿通孔１１ａを介して固定部７の雌ねじ穴７ａに捩じ込まれたねじ９によってベース部材１０（保持部１１）が受座６の固定部７に固定される。
【００１９】
ベース部材１０の受部１３は、保持部１１の戸厚方向外側部位から戸体２の表面に略平行状に一方向に延びるように設けられている。つまり、受部１３は、戸体２に対して保持される保持部１１に片持ち状に設けられている。
この受部１３の延びる方向は、上下方向及び戸幅方向のうちの一方向でもよく、本実施形態では、戸幅方向一方側となる吊元側とされている。つまり、受部１３は、吊元側に向けて延びるように設けられている。
また、受部１３の延出方向の基部側、つまり、戸幅方向他方側となる戸先側には、図１及び図３（ａ）に示すように、カバー部材２０の一端部（戸先側端部）２３が突き合わせられるように当接される立上壁部１６が戸厚方向外側に突出するように設けられている。
【００２０】
この立上壁部１６は、受部１３の延出方向に直交する方向となる上下方向に延びるように設けられている。この立上壁部１６の吊元側に向く壁面に、カバー部材２０の戸先側端部２３が当接される。この立上壁部１６の戸厚方向外側への突出寸法は、カバー部材２０の戸先側端部２３の当接が可能なように、また、見栄え上の観点等から適宜の寸法としてもよい。図例では、立上壁部１６の突出寸法を、カバー部材２０の戸先側端部２３の戸厚方向に沿う厚さ寸法と概ね同寸法とした例を示している。また、この立上壁部１６の突出方向先端面となる戸厚方向外側に向く表面は、戸先側に向かうに従い戸厚方向芯側に向けて下るように傾斜する傾斜面状とされている。
【００２１】
また、受部１３は、上記正面視した状態で略方形状とされている（図３（ａ）参照）。この受部１３の上下方向に沿う寸法は、立上壁部１６の上下方向に沿う寸法よりも小とされている。図例では、受部１３の基部側となる保持部１１の戸厚方向外側部位の戸先側縁部から上下方向両側に延出させるように立上壁部１６を設けた例を示している。また、受部１３は、上下方向で立上壁部１６の略中央部位に位置するように設けられている。
この受部１３の戸厚方向外側に向く表面は、戸体２の表面に略平行状の略平坦面とされている（図３（ａ）及び図４（ａ）参照）。また、受部１３の戸厚方向芯側に向く面（裏面）は、吊元側に向かうに従い戸体２の表面に近接するように傾斜する傾斜面状とされている（図４（ａ）参照）。つまり、受部１３の保持部１１から延出された部位は、吊元側に向かうに従い厚さ寸法が徐々に大となる構成とされている。
【００２２】
また、この受部１３に、後記するカバー部材２０の雌ねじ穴２２ａに連通されるねじ挿通孔１４を設けた構成としている。ねじ挿通孔１４は、受部１３を戸厚方向に貫通するように設けられている。また、本実施形態では、受部１３に、一つのねじ挿通孔１４を設けた構成としている。また、受部１３の基部側部位を貫通させるようにねじ挿通孔１４を設けた構成としている。また、図例では、このねじ挿通孔１４を、受部１３の上下方向略中央部に設けた例を示している。
また、本実施形態では、ベース部材１０の受部１３の戸厚方向外側及びカバー部材２０の戸厚方向芯側のうちの一方に、戸厚方向に突出する突部２２を設け、他方に、突部２２が嵌め入れられる凹部１４ａを設けた構成としている。本実施形態では、ベース部材１０の受部１３の戸厚方向外側及びカバー部材２０の戸厚方向芯側のうちの他方としての受部１３の戸厚方向外側に、凹部１４ａを設けた構成としている。また、この凹部１４ａを、受部１３のねじ挿通孔１４の内周壁を構成するように受部１３に設けた構成としている。つまり、凹部１４ａは、ねじ挿通孔１４の一部を構成するように設けられている。また、凹部１４ａを、ねじ挿通孔１４の戸厚方向芯側よりも大径状とされた大径部としている。
【００２３】
また、ベース部材１０の保持部１１には、受部１３の延出方向とは逆側に突出するように突片部１７が設けられている。つまり、突片部１７は、戸先側に向けて突出するように設けられている。保持部１１の立上壁部１６の戸先側には、戸厚方向芯側に向けて段下り状とされた凹状段部が設けられており、この凹状段部から戸先側に向けて突出するように突片部１７が設けられている。この突片部１７の保持部１１からの突出寸法は、受部１３の保持部１１からの延出寸法よりも小とされている。また、この突片部１７の上下方向に沿う寸法は、立上壁部１６の上下方向に沿う寸法と略同寸法とされている。この突片部１７は、保持部１１の凹状段部に連なるように設けられている。
【００２４】
なお、べース部材１０の立上壁部１６の戸先側の形状は、このような形状に限られず、種々の変形が可能であり、また、突片部１７を設けていない構成としてもよい。また、ベース部材１０は、アルミニウム合金等の金属系材料から鋳造成形等によって一体的に形成されたものでもよい。また、このベース部材１０の少なくとも戸体２に取り付けられた状態で露出する表面に、塗装等によって適宜の表面化粧処理が施されたものでもよい。
【００２５】
カバー部材２０は、図１に示すように、上記正面視した状態で略方形状とされ、その一端部となる戸先側端部２３がベース部材１０の立上壁部１６の吊元側に向く壁面に当接される構成とされている。このカバー部材２０の上下方向に沿う寸法は、ベース部材１０の受部１３を覆い得るように受部１３の上下方向に沿う寸法以上とされている。本実施形態では、このカバー部材２０の上下方向に沿う寸法を、ベース部材１０の受部１３の上下方向に沿う寸法よりも大としている。また、このカバー部材２０の上下方向に沿う寸法を、ベース部材１０の立上壁部１６の上下方向に沿う寸法と略同寸法としている。また、カバー部材２０の戸幅方向に沿う寸法は、ベース部材１０の受部１３を覆い得るように受部１３の戸幅方向に沿う寸法以上とされている。本実施形態では、このカバー部材２０の戸幅方向に沿う寸法を、ベース部材１０の受部１３の戸幅方向に沿う寸法よりも大としている。
【００２６】
このカバー部材２０がベース部材１０に取り付けられた状態（組付状態）で、上記正面視した状態では、図１（ｂ）に示すように、ベース部材１０の立上壁部１６よりも吊元側部位がカバー部材２０によって覆われた状態となる。また、上記組付状態で上記正面視した状態では、ベース部材１０の立上壁部１６とカバー部材２０とが略一連状の略方形状の外観を呈する。また、上記組付状態で上記正面視した状態では、図１（ａ）に示すように、カバー部材２０の戸厚方向外側に向く表面がベース部材１０の立上壁部１６の戸厚方向外側に向く表面に略同一平面状に連なるように設けられる。図例では、このカバー部材２０の戸厚方向外側に向く表面を、戸厚方向外側に突の緩やかな突湾曲面状としている。
【００２７】
また、図例では、カバー部材２０の戸先側端部２３の表面側縁部に戸厚方向外側及び戸先側に向けて開口する比較的に小さい凹段部を設けた例を示している。このような構成とすれば、この凹段部によってカバー部材２０の戸先側端部２３とベース部材１０の立上壁部１６との境界部に細溝部が形成される。これにより、カバー部材２０の戸先側端部２３及びベース部材１０の立上壁部１６の表面同士を面一状となるように構成した場合には、寸法誤差等によって段差が生じるようなことが考えられるが、このようなことを防止することができる。
また、このカバー部材２０の戸先側端部２３の戸先側に向く面（戸先側端面）は、ベース部材１０の立上壁部１６の吊元側に向く壁面に対向するように、該壁面に対して略平行状とされている。
【００２８】
また、カバー部材２０の戸厚方向芯側には、図３（ｂ）及び図４に示すように、本実施形態では、戸厚方向芯側に向けて開口し、ベース部材１０の受部１３を受け入れる受入凹所２７が設けられている。カバー部材２０は、この受入凹所２７の底側を区画し、戸厚方向外側の表面部を構成するカバー本体部２１を備えている。また、カバー部材２０は、受入凹所２７の吊元側を区画する吊元側覆部２５と、受入凹所２７の上下方向両側を区画する側端覆部２６，２６と、を備えている。
受入凹所２７の底面を構成するカバー本体部２１の戸厚方向芯側に向く裏面は、図４（ｂ）、（ｃ）に示すように、ベース部材１０の受部１３の戸厚方向外側に向く表面に略平行状の略平坦面状とされ、この受部１３の戸厚方向外側に向く表面に当接される。
【００２９】
吊元側覆部２５は、ベース部材１０の受部１３の吊元側を覆う構成とされ、カバー本体部２１の吊元側端部から戸厚方向芯側に向けて突出するように設けられている。この吊元側覆部２５の戸先側に向く面が受入凹所２７の戸先側を向く内側面を構成する。また、この吊元側覆部２５の戸先側に向く面は、ベース部材１０の受部１３の吊元側に向く端面に略平行状の略平坦面状とされ、この受部１３の吊元側に向く端面に当接または近接される。また、この吊元側覆部２５の吊元側に向く面は、吊元側に向かうに従い戸厚方向芯側に向けて下るように傾斜する傾斜面状とされている。また、この吊元側覆部２５の戸厚方向芯側に向く裏面は、上記組付状態で、ベース部材１０の受部１３の戸厚方向芯側に向く裏面に連なるように設けられ、図例では、戸厚方向芯側に突の突湾曲面状とされている。
【００３０】
上下両側の側端覆部２６，２６は、ベース部材１０の受部１３の上下両側をそれぞれに覆う構成とされ、カバー本体部２１の上下の各端部から戸厚方向芯側に向けて突出するように設けられている。これら両側の側端覆部２６，２６の上下方向に対向する面が受入凹所２７の上下方向に対向する内側面を構成する。また、これら両側の側端覆部２６，２６の上下方向に対向する面は、ベース部材１０の受部１３の上下方向外側に向く面に略平行状の略平坦面状とされ、この受部１３の上下方向外側に向く面に当接または近接される。また、これら両側の側端覆部２６，２６の上下方向外側に向く面は、上記組付状態で、戸厚方向芯側の縁部がベース部材１０の受部１３の戸厚方向芯側に向く裏面に連なるように、突湾曲面状とされている。
【００３１】
つまり、本実施形態では、上記組付状態で、カバー部材２０及びベース部材１０の戸厚方向外側に向く面及び戸厚方向芯側に向く面が互いの境界部において略同一平面状となる。また、カバー部材２０とベース部材１０の受部１３とが一連状の手掛部として機能する。
また、図例では、受入凹所２７の底側の入隅部となる周縁部に、周方向に延びる溝部２１ａを設けた例を示している。この溝部２１ａは、吊元側覆部２５及び上下両側の側端覆部２６，２６の基部に沿うように設けられている。この溝部２１ａは、受入凹所２７の底面等に塗布された塗料の逃がし溝として機能するものでもよい。
【００３２】
また、このカバー部材２０の雌ねじ穴２２ａは、図４（ａ）に示すように、カバー本体部２１の裏面側となる戸厚方向芯側において開口するように設けられている。この雌ねじ穴２２ａは、ベース部材１０のねじ挿通孔１４に応じた位置となるように、カバー本体部２１の戸先側部位の上下方向略中央部に設けられている（図３（ｂ）参照）。
本実施形態では、ベース部材１０の立上壁部１６からねじ挿通孔１４の孔中心までの延出方向に沿う寸法（ベース側寸法）Ｌ１を、カバー部材２０の戸先側端部２３から雌ねじ穴２２ａの穴中心までの延出方向に沿う寸法（カバー側寸法）Ｌ２よりも小としている。つまりは、互いに対向する対向面の一方面となる立上壁部１６の壁面からねじ挿通孔１４の孔中心までのベース側寸法Ｌ１を、他方面となる戸先側端部２３の一端面（戸先側端面）から雌ねじ穴２２ａの穴中心までのカバー側寸法Ｌ２よりも小としている。
【００３３】
これらベース側寸法Ｌ１及びカバー側寸法Ｌ２は、ベース部材１０の受部１３を覆うようにカバー部材２０を配置した状態で、ねじ挿通孔１４に挿通されたねじ９を雌ねじ穴２２ａに捩じ込み可能なように、適宜の寸法としてもよい。また、これらベース側寸法Ｌ１及びカバー側寸法Ｌ２は、ベース部材１０の立上壁部１６とカバー部材２０の戸先側端部２３との隙間を生じ難くする観点等から適宜の寸法としてもよい。例えば、組付前におけるベース側寸法Ｌ１を、組付前におけるカバー側寸法Ｌ２よりも０．０５ｍｍ〜０．５ｍｍ程度、小さい寸法としてもよく、０．１ｍｍ〜０．３ｍｍ程度、小さい寸法としてもよい。
【００３４】
また、本実施形態では、ベース部材１０の受部１３の戸厚方向外側及びカバー部材２０の戸厚方向芯側のうちの一方としてのカバー部材２０の戸厚方向芯側に、上記したベース部材１０の凹部１４ａに嵌め込まれる突部２２を設けた構成としている。また、この突部２２を、雌ねじ穴２２ａの外周壁部を構成するようにカバー部材２０の裏面側にボス状に設けられたボス部としている。この突部２２の突出寸法及び外径は、突部２２をベース部材１０の凹部１４ａに嵌込可能なように、この凹部１４ａの開口方向に沿う深さ寸法及び内径に応じた寸法とされている。また、本実施形態では、突部２２の外径を、上記したベース側寸法Ｌ１とカバー側寸法Ｌ２との寸法差を考慮して凹部１４ａの内径よりも小さい寸法としている。また、図例では、この突部２２の突出方向先端面の周縁部に面取り部を設けた例を示している。
【００３５】
上記構成とされたカバー部材２０は、ベース部材１０のねじ挿通孔１４を介して戸厚方向芯側から雌ねじ穴２２ａに捩じ込まれたねじ９によってベース部材１０に対して取り付けられる。また、カバー部材２０は、突部２２をベース部材１０の凹部１４ａに嵌め込み、戸先側端部２３をベース部材１０の立上壁部１６に当接させてベース部材１０に対して取り付けられる。また、ねじ９をカバー部材２０の雌ねじ穴２２ａに捩じ込む際には、上記したベース側寸法Ｌ１とカバー側寸法Ｌ２との寸法差によってカバー部材２０の戸先側端部２３が立上壁部１６に押し付けられることとなる。また、このようにベース部材１０にカバー部材２０が取り付けられ、受座６の固定部７に固定されれば、上記のようにカバー部材２０及びベース部材１０の受部１３が一連状の手掛部として機能する。
また、カバー部材２０は、雌ねじ穴２２ａに捩じ込まれたねじ９を取り外せば、ベース部材１０から取外可能とされている。
【００３６】
なお、カバー部材２０は、ベース部材１０と同様、アルミニウム合金等の金属系材料から鋳造成形等によって一体的に形成されたものでもよい。また、このカバー部材２０の少なくとも戸体２に取り付けられた状態で露出する表面に、塗装や化粧シートの貼着等によって適宜の表面化粧処理が施されたものでもよい。また、このカバー部材２０は、ベース部材１０とは異なる質感及び色柄とされたものでもよい。また、カバー部材２０は、立上壁部１６との当接部位となる戸先側端部２３や受部１３を受け入れる受入凹所２７、凹部１４ａに嵌め込まれる突部２２等を共通形状とし、その他の外観形状が異なる複数のカバー部材２０のうちから選択されるものとしてもよい。
【００３７】
本実施形態に係るハンドル装置５及びこれを備えた戸装置１は、上述のような構成としたことで、部品の共用化を図りながらもデザイン変更に容易に対応することができる。
つまり、戸体２に保持される保持部１１から戸体２の表面に略平行状に延びるように設けられた受部１３の戸厚方向外側に向く表面を覆うカバー部材２０を備えた構成としている。従って、受部１３とカバー部材２０とによって戸体２に対して片持ち状に設けられる手掛部を構成することができる。また、カバー部材２０を、受部１３が設けられたベース部材１０に対して着脱自在に取り付けられる構成としている。従って、相異なるデザイン（色柄や質感、形状）の複数のカバー部材２０に対してベース部材１０を共通部品とすることができ、部品の共用化を図りながらもデザイン変更に容易に対応することができる。
【００３８】
また、カバー部材２０の裏面側となる戸厚方向芯側に、ベース部材１０に設けられたねじ挿通孔１４に連通される雌ねじ穴２２ａを設けた構成としている。従って、カバー部材２０をベース部材１０に対して着脱自在に固定するねじ９を目立ち難くすることができる。また、ベース部材１０の受部１３の延出方向の基部側に、カバー部材２０の一端部としての戸先側端部２３が突き合わせられるように当接される立上壁部１６を戸厚方向外側に突出させるように設けた構成としている。従って、ベース部材１０の立上壁部１６にカバー部材２０の戸先側端部２３を突き合わせて当接させてカバー部材２０をベース部材１０に対して取り付けることができる。これにより、ベース部材１０に対するカバー部材２０の位置合わせを容易に行うことができ、また、位置ずれを抑制することができる。また、本実施形態のように、ベース部材１０に単一のねじ挿通孔１４を設け、カバー部材２０に単一の雌ねじ穴２２ａを設けた構成とした場合にも、ベース部材１０に対するカバー部材２０のねじ軸回りの回転を抑制することができる。
【００３９】
また、本実施形態では、ベース部材１０の立上壁部１６からねじ挿通孔１４の孔中心までの延出方向に沿うベース側寸法Ｌ１を、カバー部材２０の戸先側端部２３から雌ねじ穴２２ａの穴中心までの延出方向に沿うカバー側寸法Ｌ２よりも小としている。従って、上述のように、ベース部材１０のねじ挿通孔１４に挿通させたねじ９をカバー部材２０の雌ねじ穴２２ａに捩じ込めば、カバー部材２０の戸先側端部２３がベース部材１０の立上壁部１６に押し付けられることとなる。これにより、カバー部材２０の戸先側端部２３とベース部材１０の立上壁部１６との間に隙間が生じるようなことを効果的に抑制することができ、がたつき等の発生を抑制することができる。
【００４０】
また、本実施形態では、ベース部材１０の受部１３の戸厚方向外側及びカバー部材２０の戸厚方向芯側のうちの一方に、戸厚方向に突出する突部２２を設け、他方に、突部２２が嵌め入れられる凹部１４ａを設けた構成としている。従って、ベース部材１０の立上壁部１６に対するカバー部材２０の戸先側端部２３の当接に加え、突部２２の凹部１４ａへの嵌め入れによって、ベース部材１０に対するカバー部材２０の位置合わせをより容易に行うことができ、また、位置ずれをより効果的に抑制することができる。
また、本実施形態では、カバー部材２０の雌ねじ穴２２ａの外周壁部を構成するようにカバー部材２０に突部２２を設け、ベース部材１０の受部１３のねじ挿通孔１４の内周壁を構成するように受部１３に凹部１４ａを設けた構成としている。従って、カバー部材２０の突部２２を雌ねじ穴２２ａの外周壁部としても機能させることができ、カバー部材２０の薄型化を図りながらも、ねじ９が捩じ込まれる雌ねじ穴２２ａの深さを効果的に大きくすることができる。
【００４１】
また、本実施形態では、カバー部材２０の戸厚方向芯側に、戸厚方向芯側に向けて開口し、ベース部材１０の受部１３を受け入れる受入凹所２７を設けた構成としている。従って、カバー部材２０の受入凹所２７に受部１３を納めることができ、受部１３の戸厚方向外側に重ね合わせるようにカバー部材２０が設けられる構成とされたものと比べて、受部１３をより効果的に目立ち難くすることができる。
【００４２】
次に、ハンドル装置の一変形例について図５を参照しながら説明する。
なお、以下の変形例では、上記した例との相違点について主に説明し、同様の構成については、同一の符号を付し、その説明を省略または簡略に説明する。また、本変形例に係るハンドル装置５Ａも上記同様に戸体２に取付可能で、戸装置１を構成する。
【００４３】
本変形例に係るハンドル装置５Ａは、ベース部材１０Ａ及びカバー部材２０Ａの一方に、ボス状の突部２２に加えて、突部２４を設け、他方に大径状の凹部１４ａに加えて、突部２４が嵌め込まれる凹部１５を設けた構成としている。つまり、本変形例では、ベース部材１０Ａに複数の凹部１４ａ，１５を設け、カバー部材２０Ａに複数の突部２２，２４を設けた構成としている。
また、ベース部材１０Ａの受部１３Ａの吊元側部位に、戸厚方向外側に向けて開口するように複数（図例では、２つ）の凹部１５，１５を設けた構成としている。これら凹部１５，１５は、上記正面視した状態で、略方形穴状とされている。また、図例では、これら凹部１５，１５を、吊元側に向かうに従い深さ寸法が大となるように設けた例を示している。
【００４４】
また、カバー部材２０Ａのカバー本体部２１Ａの吊元側部位に、凹部１５，１５に対応させて戸厚方向芯側に向けて突出するように複数（２つ）の突部２４，２４（一方は不図示）を設けた構成としている。これら突部２４，２４は、凹部１５，１５に応じた形状となるように、突出方向に見て略方形状とされている。また、これら突部２４，２４は、吊元側に向かうに従い突出寸法が大となるように設けられている。
このように複数の凹部１４ａ，１５，１５及び複数の突部２２，２４，２４を設けた構成としているので、ベース部材１０Ａに対するカバー部材２０Ａの位置ずれをより効果的に抑制することができる。また、ベース部材１０Ａに対するカバー部材２０Ａのねじ軸回りの回転を抑制することができる。
【００４５】
なお、上記のような態様に代えて、ベース部材１０Ａの受部１３Ａに、複数または単一の凹部及び突部を設け、カバー部材２０Ａに、受部１３Ａの凹部及び突部に応じた突部及び凹部を設けた態様等としてもよい。また、上記した例では、ボス状の突部２２に加えて突部２４を設け、大径状の凹部１４ａに加えて、凹部１５を設けた構成としているが、ボス状の突部２２及び大径状の凹部１４ａを設けていない構成としてもよい。さらには、このような互いに嵌め合わせられる凹部１４ａ，１５や突部２２，２４をベース部材１０，１０Ａ及びカバー部材２０，２０Ａに設けていない構成としてもよい。
また、本実施形態では、カバー部材２０，２０Ａにベース部材１０，１０Ａの受部１３，１３Ａを受け入れる受入凹所２７を設けた例を示しているが、このような態様に限られない。例えば、カバー部材２０，２０Ａの吊元側覆部２５、上側の側端覆部２６及び下側の側端覆部２６のうちの少なくとも一つを設けていない構成としてもよい。
【００４６】
また、本実施形態では、ベース側寸法Ｌ１をカバー側寸法Ｌ２よりも小とした例を示しているが、これらベース側寸法Ｌ１とカバー側寸法Ｌ２とを互いに略同寸法としてもよい。
また、本実施形態では、ベース部材１０，１０Ａの受部１３，１３Ａを、戸幅方向に延出させるように設けた例を示しているが、上下方向や斜め方向等に延出させた構成としてもよい。また、ベース部材１０，１０Ａの受部１３，１３Ａ及びカバー部材２０，２０Ａを、上記正面視して略方形状とした例を示しているが、他の略多角形状や半円状等、種々の形状としてもよい。
また、本実施形態では、ハンドル装置５，５Ａを、ラッチ錠装置３に連結される構成とした例を示しているが、このような態様に限られない。例えば、ハンドル装置５，５Ａによって上記のようなラッチ部４の変位がなされる構成に代えて、ハンドル装置５，５Ａのベース部材１０，１０Ａが戸体２の表面に対して固定的に設けられるものでもよい。
また、本実施形態では、ハンドル装置５，５Ａが取り付けられる戸体２を開き戸とした例を示しているが、折戸や引戸等であってもよい。
【符号の説明】
【００４７】
１            戸装置
２            戸体
５，５Ａ      ハンドル装置
１０，１０Ａ  ベース部材
１１          保持部
１３，１３Ａ  受部
１４          ねじ挿通孔
１４ａ        凹部（ねじ挿通孔）
１５          凹部
１６          立上壁部
２０，２０Ａ  カバー部材
２２，２４    突部
２２ａ        雌ねじ穴
２３          戸先側端部（一端部）
２７          受入凹所
Ｌ１  ベース側寸法（立上壁部からねじ挿通孔の孔中心までの延出方向に沿う寸法）
Ｌ２  カバー側寸法（カバー部材の一端部から雌ねじ穴の穴中心までの延出方向に沿う寸法）
【図１】
2018119322.tif 000003
【図２】
2018119322.tif 000004
【図３】
2018119322.tif 000005
【図４】
2018119322.tif 000006
【図５】
2018119322.tif 000007